(57)【要約】【課題】RRC CONNECTED状態においてもSSACによるアクセス規制をより確実に実現し得る移動局、ネットワーク装置及び移動通信方法を提供する。【解決手段】UE100は、Service Specific Access Controlの内容を示す規制情報を取得し、無線リソース制御レイヤにおける接続状態がアクセスネットワークとの接続が確立されているRRC CONNECTED状態において発信要求が生成された場合、RRC CONNECTED状態では特定サービスアクセス規制を実施しないと規定されているにも関わらず、取得した規制情報に基づいて発信要求の送信を中止する。【選択図】図６
2014033356.tif 000002
【特許請求の範囲】
【請求項１】
アクセスネットワークを介して通知される特定サービスアクセス規制に基づいて、前記特定サービスアクセス規制によって規定される所定通信サービスの提供に伴う発信要求の前記アクセスネットワークへの送信を規制する移動局であって、
前記特定サービスアクセス規制の内容を示す規制情報を取得する規制情報取得部と、
無線リソース制御レイヤにおける接続状態が前記アクセスネットワークとの接続が確立されている接続確立状態において前記発信要求が生成された場合、前記接続確立状態では前記特定サービスアクセス規制を実施しないと規定されているにも関わらず、前記規制情報取得部によって取得された前記規制情報に基づいて前記発信要求の送信を中止する発信制御部と
を備える移動局。
【請求項２】
前記規制情報取得部は、前記接続確立状態では前記特定サービスアクセス規制を実施することを示す要素を含む前記規制情報を取得し、
前記発信制御部は、前記要素に基づいて前記発信要求の送信を中止するか否かを決定する請求項１に記載の移動局。
【請求項３】
前記接続確立状態において前記特定サービスアクセス規制を実施する機能を前記移動局が有することを示す機能具備表示を、前記アクセスネットワークを構成するネットワーク装置に通知する機能通知部を備える請求項１に記載の移動局。
【請求項４】
所定通信サービスの提供に伴う発信要求のアクセスネットワークへの送信を規制する特定サービスアクセス規制を、前記アクセスネットワークを介して移動局に送信するネットワーク装置であって、
無線リソース制御レイヤにおける接続状態が前記アクセスネットワークとの接続が確立されている接続確立状態では特定サービスアクセス規制を実施することを示す要素を含む規制情報を前記移動局に送信する規制情報送信部を備えるネットワーク装置。
【請求項５】
前記接続確立状態において前記特定サービスアクセス規制を実施する機能を前記移動局が有することを示す機能具備表示を、前記アクセスネットワークを介して取得する規制管理部と、
前記移動局から前記発信要求を受信した場合、前記規制管理部によって取得された前記機能具備表示に基づいて、前記接続確立状態において前記特定サービスアクセス規制を実施する機能を有する移動局からの発信要求の処理の優先度を、前記機能を有さない移動局からの発信要求の処理よりも優先する発信要求処理部と
を備える請求項４に記載のネットワーク装置。
【請求項６】
アクセスネットワークを介して通知される特定サービスアクセス規制に基づいて、前記特定サービスアクセス規制によって規定される所定通信サービスの提供に伴う発信要求の前記アクセスネットワークへの送信を規制する移動通信方法であって、
前記特定サービスアクセス規制の内容を示す規制情報を取得するステップと、
無線リソース制御レイヤにおける接続状態が前記アクセスネットワークとの接続が確立されている接続確立状態において前記発信要求が生成された場合、前記接続確立状態では前記特定サービスアクセス規制を実施しないと規定されているにも関わらず、取得された前記規制情報に基づいて前記発信要求の送信を中止するステップと
を有する移動通信方法。
【発明の詳細な説明】
【技術分野】
【０００１】
本発明は、特定サービスアクセス規制によって規定される音声やビデオなどの所定通信サービスの提供に伴う発信要求のアクセスネットワークへの送信を規制する移動局、ネットワーク装置及び移動通信方法に関する。
【背景技術】
【０００２】
3rd Generation Partnership Project（3GPP）において規定されるLong Term Evolution（LTE）では、移動局（UE）のアクセスネットワーク（IP-CAN）へのアクセスを規制するアクセス規制の一種として、特定の通信サービス（例えば、音声通信やビデオ通信）を規制するService Specific Access Control（SSAC）が規定されている（例えば、非特許文献１，２）。具体的には、IPマルチメディアサブシステム（IMS）を経由したIMS Voice（MMTEL-Voice）と、IMS Video（MMTEL-Video）の両方の機能を起動する際、UEは、IP-CANから報知される報知情報（System Information Block（SIB）に基づいてIP-CANへのアクセス可否を判定し、IP-CANを介した発信を要求するか否かを決定する。
【０００３】
図１は、RRC IDLE状態における移動局（UE）とアクセスネットワーク（IP-CAN）間のSSACの実行シーケンスを示す。図１に示すように、SSACが開始されると、IP-CANは、UEに向けてSSACのパラメータを含む報知情報を送信する（S10）。当該報知情報によって、SSACの開始及び規制対象のサービスが報知される。UEは、報知されたSSACに関するパラメータを保持する（S20）。
【０００４】
その後、UEは、ユーザの操作などに基づいて、IMSを介した音声通信（IMS Voice）またはビデオ通信（IMS Video）の発信を要求する（S30）。具体的には、UEは、無線リソース制御（RRC）レイヤにおけるIP-CANとの接続が確立していないRRC IDLE状態において当該発信を要求する。UEは、保持しているSSACに関するパラメータと、UEのアクセスクラス（例えば、11〜15）とを比較し、当該発信に伴うIP-CANへのアクセスが可能か否かを判定する（S40）。なお、UEは、報知情報によって通知されるパラメータと、UE内部で生成した乱数とを比較することによって、IP-CANにアクセスするか否かを判定し、アクセス可能と判定した場合、IMS VoiceやIMS Videoの発信処理を実行する。
【０００５】
アクセス可能と判定した場合、UEは、IP-CANとのRRCレイヤにおける接続を要求するRRC Connection RequestをIP-CANに向けて送信する（S50）。IP-CANは、受信したRRC Connection Requestに基づいて当該発信を許可するRRC Connection SetupをUEに送信する（S60）。RRC Connectionの確立後、セキュリティ認証やNon Access Stratum（NAS）シグナリング（Service Request）などの処理を実行し、IMSを介した音声通信またはビデオ通信が開始される（S70）。一方、アクセス不可と判定した場合、UEは、当該発信要求を中止（S80）し、IMS VoiceまたはIMS Videoの発信を禁止する期間を計測するタイマーを起動する（S90）。
【０００６】
また、図２は、RRC CONNECTED状態における移動局とアクセスネットワーク間のSSACの実行シーケンスを示す。図２に示すように、UEは、SSACの開始後にパケット通信などを実行し、RRC CONNECTED状態となる（S35）。ここで、UEは、RRC CONNECTED状態であるため、SSACに関するパラメータを規制ありから規制なしに読み替える（S45）。このような動作によって、RRC CONNECTED状態であるUEは、SSACによるアクセス規制から除外される。
【０００７】
その後、UEは、RRC IDLE状態と同様に、ユーザの操作などに基づいてIMSを介した音声通信（IMS Voice）またはビデオ通信（IMS Video）の発信を要求し、当該発信に伴うIP-CANへのアクセスが可能か否かを判定する（S45, S55, S65）。
【０００８】
アクセス可能と判定した場合、UEは、Session Initiation Protocol（SIP）に従った発信要求メッセージ（SIP_INVITE）をIP-CANに向けて送信する（S75）。IP-CANは、受信したメッセージに対する応答（SIP_200 OK）をUEに送信する（S85）。この結果、IMSを介した音声通信またはビデオ通信が開始される（S95）。
【先行技術文献】
【非特許文献】
【０００９】
【非特許文献１】3GPP TS 36.331 V11.0.0 Subclause 5.3.3.10 Handling of SSAC related parameters, 3rd Generation Partnership Project; Technical Specification Group Radio Access Network; Evolved Universal Terrestrial Radio Access (E-UTRA); Radio Resource Control (RRC); Protocol specification (Release 11)、3GPP、２０１２年６月
【非特許文献２】3GPP TS 24.173 V11.2.0 Annex.J, 3rd Generation Partnership Project; Technical Specification Group Core Network and Terminals; IMS multimedia telephony communication service and supplementary services; Stage 3、3GPP、２０１２年３月
【発明の概要】
【発明が解決しようとする課題】
【００１０】
上述したように、3GPPでは、RRC CONNECTED状態の場合、SSACによるアクセス規制が実施されている場合でもSSACによる規制なしに読み替えるUEの動作が規定されているため、RRC CONNECTED状態のUEに対してはSSACによるアクセス規制が無効となる。特に、近年、ユーザが任意に無数のアプリケーションをダウンロードして利用できるスマートフォンの普及が著しく、スマートフォンは、従来の移動局と比較して、当該アプリケーションなどによってRRC CONNECTED状態を維持することが多い。
【００１１】
このため、アクセスネットワークを含む移動通信ネットワークにおける輻輳を回避するためにサービス毎のアクセス規制を実現するSSACが有効に機能せず、移動通信ネットワークを構成するネットワーク装置の過負荷からの保護や、優先すべき通信の提供を実現できない問題が生じ得る。
【００１２】
そこで、本発明は、このような問題に鑑みてなされたものであり、RRC CONNECTED状態においてもSSACによるアクセス規制をより確実に実現し得る移動局、ネットワーク装置及び移動通信方法の提供を目的とする。
【課題を解決するための手段】
【００１３】
本発明の第１の特徴は、アクセスネットワークを介して通知される特定サービスアクセス規制に基づいて、前記特定サービスアクセス規制によって規定される所定通信サービスの提供に伴う発信要求の前記アクセスネットワークへの送信を規制する移動局であって、前記特定サービスアクセス規制の内容を示す規制情報を取得する規制情報取得部と、無線リソース制御レイヤにおける接続状態が前記アクセスネットワークとの接続が確立されている接続確立状態において前記発信要求が生成された場合、前記接続確立状態では前記特定サービスアクセス規制を実施しないと規定されているにも関わらず、前記規制情報取得部によって取得された前記規制情報に基づいて前記発信要求の送信を中止する発信制御部とを備えることを要旨とする。
【００１４】
本発明の第２の特徴は、所定通信サービスの提供に伴う発信要求のアクセスネットワークへの送信を規制する特定サービスアクセス規制を、前記アクセスネットワークを介して移動局に送信するネットワーク装置であって、無線リソース制御レイヤにおける接続状態が前記アクセスネットワークとの接続が確立されている接続確立状態では特定サービスアクセス規制を実施することを示す要素を含む規制情報を前記移動局に送信する規制情報送信部を備えることを要旨とする。
【００１５】
本発明の第３の特徴は、アクセスネットワークを介して通知される特定サービスアクセス規制に基づいて、前記特定サービスアクセス規制によって規定される所定通信サービスの提供に伴う発信要求の前記アクセスネットワークへの送信を規制する移動通信方法であって、前記特定サービスアクセス規制の内容を示す規制情報を取得するステップと、無線リソース制御レイヤにおける接続状態が前記アクセスネットワークとの接続が確立されている接続確立状態において前記発信要求が生成された場合、前記接続確立状態では前記特定サービスアクセス規制を実施しないと規定されているにも関わらず、取得された前記規制情報に基づいて前記発信要求の送信を中止するステップとを有することを要旨とする。
【発明の効果】
【００１６】
本発明の特徴によれば、RRC CONNECTED状態においてもSSACによるアクセス規制をより確実に実現し得る移動局、ネットワーク装置及び移動通信方法を提供することができる。
【図面の簡単な説明】
【００１７】
【図１】従来のRRC IDLE状態における移動局（UE）とアクセスネットワーク（IP-CAN）間のSSACの実行シーケンスを示す図である。
【図２】従来のRRC CONNECTED状態における移動局とアクセスネットワーク間のSSACの実行シーケンスを示す図である。
【図３】本発明の実施形態に係る移動通信システム10の全体概略構成図である。
【図４】本発明の実施形態に係るUE100の機能ブロック構成図である。
【図５】本発明の実施形態に係るネットワーク装置310の機能ブロック構成図である。
【図６】本発明の実施形態に係るRRC CONNECTED状態のUE100がSSACを実行する場合における通信シーケンスを示す図である。
【図７】本発明の実施形態に係るネットワーク装置310における発信要求メッセージ（SIP_INVITE）の処理フローを示す図である。
【発明を実施するための形態】
【００１８】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１９】
したがって、具体的な寸法などは以下の説明を参酌して判断すべきものである。また、図面相互間においても互いの寸法の関係や比率が異なる部分が含まれていることは勿論である。
【００２０】
（１）移動通信システムの全体概略構成
図３は、本実施形態に係る移動通信システム10の全体概略構成図である。図３に示すように、移動通信システム10は、移動局100（以下、UE100）、無線基地局200（以下、eNB200）、IP-Connectivity Access Network 300（以下、IP-CAN300）及びIP Multimedia core network Subsystem 400（以下、IMS400）を含む。
【００２１】
UE100は、Long Term Evolution（LTE）に従った無線通信をeNB200と実行することができる。特に、本実施形態では、UE100は、IP-CAN300（アクセスネットワーク）を介して通知される特定サービスアクセス規制、具体的にはSSACに基づいて、当該SSACによって規定される音声やビデオなどの通信サービス（所定通信サービス）の提供に伴う発信要求のアクセスネットワークへの送信を規制する。
【００２２】
IP-CAN300は、インターネットプロトコル（IP）に従ったIPアクセスネットワークである。具体的には、IP-CAN300は、Session Initiation Protocol（SIP）及び音声メディアなおのトランスポート機能を提供するネットワークである。また、IP-CAN300には、LTEに従ったeNB200によって構成される無線アクセスネットワーク（E-UTRAN）が接続される。
【００２３】
IP-CAN300は、各種のネットワーク装置310によって構成される。具体的には、IP-CAN300は、Mobility Management Entity（MME）、Serving Gateway（SGW）、Packet Data Network Gateway（PGW）、Policy and Charging Rules Function（PCRF）及びSGSN（Serving GPRS Support Node）などによって構成される。ネットワーク装置310は、音声通信またはビデオ通信（所定通信サービス）の提供に伴う発信要求のIP-CAN300への送信を規制するSSACを、IP-CAN300を介してUE100に送信することができる。
【００２４】
IMS400は、インターネットプロトコルに従ったマルチメディアサブシステムである。IMS400は、Primary-Call Session Control Function（P-CSCF）、Interrogating -Call Session Control Function（I-CSCF）、Serving-Call Session Control Function（S-CSCF）及びApplication Server（AS）などによって構成される。IMS400には、IPネットワーク500（インターネットなどを含む外部IPネットワーク）が接続される。
【００２５】
（２）移動通信システムの機能ブロック構成
次に、移動通信システム10の機能ブロック構成について説明する。具体的には、UE100及びネットワーク装置310の機能ブロック構成について説明する。
【００２６】
（２．１）UE100
図４は、UE100の機能ブロック構成図である。図４に示すように、UE100は、SSAC情報取得部101、RRC状態判定部103、発信要求生成部105、SSAC機能通知部107及び発信制御部109を備える。
【００２７】
SSAC情報取得部101は、IP-CAN300からeNB200を介して送信された報知情報（SIB）に含まれるSSACの内容を示す規制情報を取得する。本実施形態において、SSAC情報取得部101は、規制情報取得部を構成する。具体的には、SSAC情報取得部101は、SSACに関するパラメータ（規制対象の通信サービス及び規制率など）を取得する。また、SSAC情報取得部101は、無線リソース制御レイヤ（RRCレイヤ）における接続状態がIP-CAN300との接続が確立されているRRC CONNECTED状態（接続確立状態）ではSSACを実施することを示す要素を含む規制情報を取得することもできる。
【００２８】
RRC状態判定部103は、RRCレイヤにおける接続状態を判定する。具体的には、RRC状態判定部103は、RRCレイヤにおける接続状態がRRC CONNECTED状態か、IP-CAN300との接続が確立されていないRRC IDLE状態かの何れであるかを判定する。
【００２９】
発信要求生成部105は、UE100のユーザによる操作などに基づいて、IP-CAN300に対する発信要求を生成する。特に、本実施形態では、発信要求生成部105は、音声通信またはビデオ通信の発信要求を生成する。
【００３０】
SSAC機能通知部107は、UE100が具備するSSAC機能をIP-CAN300に通知する。具体的には、SSAC機能通知部107は、RRC CONNECTED状態においてSSACを実施する機能をUE100が有することを示す機能具備表示を、IP-CAN300を構成するネットワーク装置310に通知する。
【００３１】
発信制御部109は、発信要求生成部105によって生成された発信要求に基づいて、IP-CAN300に対する発信を制御する。具体的には、発信制御部109は、RRC状態判定部103によってRRCレイヤにおける接続状態がRRC CONNECTED状態と判定されている場合において発信要求生成部105によって発信要求、具体的には、音声通信またはビデオ通信の発信要求が生成された場合、RRC CONNECTED状態ではSSACを実施しないと規定されているにも関わらず、SSAC情報取得部101によって取得されたSSACの規制情報に基づいて当該発信要求の送信を中止する。
【００３２】
すなわち、発信制御部109は、RRC CONNECTED状態ではSSACを実施しないことが標準動作として規定されているにも関わらず、発信制御部109は、音声通信またはビデオ通信（所定通信サービス）の発信要求が生成された場合、SSACに従った発信規制（アクセス規制）を実施する。
【００３３】
また、発信制御部109は、RRC CONNECTED状態ではSSACを実施することを示す要素に基づいて当該発信要求の送信を中止するか否かを決定することもできる。
【００３４】
一方、発信制御部109は、当該発信要求を送信する場合、保持しているUE100のアクセスクラス（例えば、11〜15など）に基づいて、SIPに従った発信要求メッセージ（SIP_INVITE）などをIP-CAN300に送信する。
【００３５】
（２．２）ネットワーク装置310
図５は、ネットワーク装置310の機能ブロック構成図である。図５に示すように、ネットワーク装置310は、SSAC管理部311、SSAC情報送信部313及び発信要求処理部315を備える。
【００３６】
SSAC管理部311は、UE100のSSACに関する機能を管理する。具体的には、SSAC管理部311は、RRC CONNECTED状態においてSSACを実施する機能をUE100が有することを示す機能具備表示を、IP-CAN300を介して取得する。本実施形態において、SSAC管理部311は規制管理部を構成する。
【００３７】
SSAC情報送信部313は、RRC CONNECTED状態ではSSACを実施することを示す要素を含む規制情報をUE100に送信する。本実施形態において、SSAC情報送信部313は規制情報送信部を構成する。具体的には、SSAC情報送信部313は、UE100に向けて報知される報知情報（SIB）を用いて、SSACに関するパラメータと当該要素とを含む規制情報をUE100に送信する。
【００３８】
発信要求処理部315は、UE100から送信されたSIP_INVITE（発信要求）の処理を実行する。特に、本実施形態では、発信要求処理部315は、UE100からSIP_INVITEを受信した場合、SSAC管理部311によって取得された機能具備表示、つまり、RRC CONNECTED状態においてSSACを実施する機能をUE100が有するか否かに基づいて、RRC CONNECTED状態においてSSACを実施する機能を有するUEからのSIP_INVITEの処理の優先度を、当該機能を有さないUEからのSIP_INVITEの処理よりも優先することができる。
【００３９】
また、発信要求処理部315は、当該SIP_INVITEを受理した場合、UE100に応答メッセージ（SIP_200 OK）を送信する。
【００４０】
（３）移動通信システムの動作
次に、上述した移動通信システム10の動作について説明する。具体的には、RRC CONNECTED状態のUE100がSSACを実行する場合における通信シーケンス、及びネットワーク装置310における発信要求メッセージ（SIP_INVITE）の処理フローについて説明する。
【００４１】
（３．１）UE100によるSSACの実行
図６は、RRC CONNECTED状態のUE100がSSACを実行する場合における通信シーケンスを示す。図６に示すように、SSACが開始されると、IP-CAN300は、UE100に向けてSSACのパラメータを含む報知情報を送信する（S110）。当該報知情報によって、SSACの開始及び規制対象のサービス、具体的には、音声通信またはビデオ通信が報知される。UE100は、報知されたSSACに関するパラメータを保持する（S120）。
【００４２】
次いで、UE100は、SSACの開始後にパケット通信などを実行し、RRC IDLE状態からRRC CONNECTED状態となる（S130）。なお、ステップS110〜S130の処理は、図２に示したステップS10, S20及びS35と同様である。
【００４３】
ここで、UE100は、RRC CONNECTED状態であるため、標準動作ではSSACに関するパラメータ（3GPP TS36.311 Subclause 5.3.3.10参照）を規制ありから規制なしに読み替えるが、当該読み替えを行わないと決定する（S140）。次いで、UE100は、ユーザの操作などに基づいてIMS400を介した音声通信（IMS Voice）またはビデオ通信（IMS Video）の発信を要求する（S150）。
【００４４】
UE100は、SSACに関するパラメータと保持しているUE100のアクセスクラスとを比較し、当該発信に伴うIP-CAN300へのアクセスが可能か否かを判定する（S160）。具体的には、UE100は、RRC CONNECTED状態ではSSACを実施しないことが標準動作として規定されているが、音声通信またはビデオ通信（所定通信サービス）の発信要求が生成された場合、SSACに従った発信規制（アクセス規制）を実施する。なお、UE100は、図１や図２に示した通信シーケンスと同様に、報知情報によって通知されるパラメータと、UE100内部で生成した乱数とを比較することによって、IP-CAN300にアクセスするか否かを判定し、アクセス可能と判定した場合、IMS VoiceやIMS Videoの発信処理を実行する。
【００４５】
アクセス不可と判定した場合、UEは、当該発信要求を中止（S170）し、IMS VoiceまたはIMS Videoの発信を禁止する期間を計測するタイマーを起動する（S180）。一方、アクセス可能と判定した場合、UE100は、SIPに従った発信要求メッセージ（SIP_INVITE）をIP-CAN300に向けて送信する（S210）。
【００４６】
SIP_INVITEを受信したネットワーク装置310は、例えば、UE100がRRC CONNECTED状態においてSSACを実施する機能を有するか否かに基づいて、受信したSIP_INVITEの処理の優先順位を決定する（S220）。具体的には、ネットワーク装置310は、当該機能を有するUEのSIP_INVITEの処理を、当該機能を有さないUEのSIP_INVITEよりも優先して処理する。
【００４７】
ネットワーク装置310は、受信したSIP_INVITEに対する応答であるSIP_200 OKをUE100に送信する（S230）。この結果、IMSを介した音声通信またはビデオ通信が開始される（S240）。
【００４８】
（３．２）ネットワーク装置310における発信要求メッセージ（SIP_INVITE）の処理
図７は、ネットワーク装置310における発信要求メッセージ（SIP_INVITE）の処理フローを示す。具体的には、図７は、図６に示したステップS220の処理の詳細を示す。図７に示すように、ネットワーク装置310は、UE100からの発信要求、具体的にはSIP_INVITEを受信する（S310）。
【００４９】
ネットワーク装置310は、受信したSIP_INVITEを優先して処理するか否かを判定する（S320）。例えば、ネットワーク装置310は、上述したように、UE100がRRC CONNECTED状態においてSSACを実施する機能を有するか否かに基づいて、受信したSIP_INVITEの処理の優先順位を決定することができる。なお、優先順位の決定は、必ずしも当該機能の有するか否かでなくてもよい。
【００５０】
ネットワーク装置310は、UE100が当該機能を有する場合、受信したSIP_INVITEの処理の優先順位を上げる（S330）。一方、UE100が当該機能を有していない場合、受信したSIP_INVITEの処理の優先順位を下げる（S340）。
【００５１】
ネットワーク装置310は、決定された処理の優先順位に従って、受信したSIP_INVITE（発信要求）の処理を実行する（S350）。
【００５２】
（４）作用・効果
移動通信システム10によれば、UE100は、RRC CONNECTED状態において音声通信またはビデオ通信の発信要求が生成された場合、RRC CONNECTED状態ではSSACを実施しないと規定されているにも関わらず、取得したSSACの規制情報に基づいて当該発信要求の送信を中止する。このため、RRC CONNECTED状態においても特定の通信サービス（音声通信またはビデオ通信）についてはSSACを有効化することができ、当該通信サービスの提供に伴う発信要求が規制される。
【００５３】
すなわち、移動通信システム10によれば、スマートフォンなど、RRC CONNECTED状態を維持することが多いUEが多数存在する場合でも、ネットワーク装置310やIP-CAN300を構成する他のネットワーク装置の過負荷からの保護や、優先すべき通信の提供を実現することができる。
【００５４】
本実施形態では、RRC CONNECTED状態ではSSACを実施することを示す要素を含む規制情報をネットワーク装置310からUE100に通知することができる。このため、IP-CAN300の輻輳状態などに応じて、柔軟にRRC CONNECTED状態ではSSACを実施するか否かをネットワーク主導で決定することができる。
【００５５】
本実施形態では、RRC CONNECTED状態においてSSACを実施する機能をUE100が有することを示す機能具備表示をネットワーク装置310に通知することができる。このため、ネットワーク装置310は、例えば、当該機能を有するUE100からのSIP_INVITEを優先的に処理することができ、UE100の種別などに応じた細やかな優先制御が可能となる。
【００５６】
（５）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００５７】
例えば、上述した本発明の実施形態では、RRC CONNECTED状態においてSSACを実施する機能を有するUEからのSIP_INVITE（発信要求）の処理の優先度を、当該機能を有さないUEからのSIP_INVITEの処理よりも優先するようにしていたが、このような機能は、必ずしも備えていなくても構わない。また、上述した実施形態では、RRC CONNECTED状態ではSSACを実施することを示す要素を含む規制情報をネットワーク装置310からUE100に通知できるようにされていたが、このような機能も必須ではない。
【００５８】
上述した実施形態では、所定通信サービスとして、音声通信またはビデオ通信を挙げて説明したが、本発明は、当該通信サービスに限定して適用されるものではなく、他の通信サービスにも適用しても構わない。
【００５９】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【００６０】
なお、本発明は、次のように表現されてもよい。本発明の第１の特徴は、IP-CAN300（アクセスネットワーク）を介して通知されるSSAC（特定サービスアクセス規制）に基づいて、前記特定サービスアクセス規制によって規定される音声通信またはビデオ通信（所定通信サービス）の提供に伴うSIP_INVITE（発信要求）の前記アクセスネットワークへの送信を規制するUE100（移動局）であって、前記特定サービスアクセス規制の内容を示す規制情報を取得するSSAC情報取得部101（規制情報取得部）と、無線リソース制御レイヤにおける接続状態が前記アクセスネットワークとの接続が確立されているRRC CONNECTED状態（接続確立状態）において前記発信要求が生成された場合、前記接続確立状態では前記特定サービスアクセス規制を実施しないと規定されているにも関わらず、前記規制情報取得部によって取得された前記規制情報に基づいて前記発信要求の送信を中止する発信制御部109（発信制御部）とを備えることを要旨とする。
【００６１】
本発明の第１の特徴において、前記規制情報取得部は、前記接続確立状態では前記特定サービスアクセス規制を実施することを示す要素を含む前記規制情報を取得し、前記発信制御部は、前記要素に基づいて前記発信要求の送信を中止するか否かを決定してもよい。
【００６２】
本発明の第１の特徴において、前記接続確立状態において前記特定サービスアクセス規制を実施する機能を前記移動局が有することを示す機能具備表示を、前記アクセスネットワークを構成するネットワーク装置に通知するSSAC機能通知部107（機能通知部）を備えてもよい。
【００６３】
本発明の第２の特徴は、所定通信サービスの提供に伴う発信要求のアクセスネットワークへの送信を規制する特定サービスアクセス規制を、前記アクセスネットワークを介して移動局に送信するネットワーク装置310（ネットワーク装置）であって、無線リソース制御レイヤにおける接続状態が前記アクセスネットワークとの接続が確立されている接続確立状態では特定サービスアクセス規制を実施することを示す要素を含む規制情報を前記移動局に送信するSSAC情報送信部313（規制情報送信部）を備えてもよい。
【００６４】
本発明の第２の特徴において、前記接続確立状態において前記特定サービスアクセス規制を実施する機能を前記移動局が有することを示す機能具備表示を、前記アクセスネットワークを介して取得するSSAC管理部311（規制管理部）と、前記移動局から前記発信要求を受信した場合、前記規制管理部によって取得された前記機能具備表示に基づいて、前記接続確立状態において前記特定サービスアクセス規制を実施する機能を有する移動局からの発信要求の処理の優先度を、前記機能を有さない移動局からの発信要求の処理よりも優先する発信要求処理部315（発信要求処理部）とを備えることを要旨とする。
【００６５】
本発明の第３の特徴は、アクセスネットワークを介して通知される特定サービスアクセス規制に基づいて、前記特定サービスアクセス規制によって規定される所定通信サービスの提供に伴う発信要求の前記アクセスネットワークへの送信を規制する移動通信方法であって、前記特定サービスアクセス規制の内容を示す規制情報を取得するステップと、無線リソース制御レイヤにおける接続状態が前記アクセスネットワークとの接続が確立されている接続確立状態において前記発信要求が生成された場合、前記接続確立状態では前記特定サービスアクセス規制を実施しないと規定されているにも関わらず、取得された前記規制情報に基づいて前記発信要求の送信を中止するステップとを有することを要旨とする。
【符号の説明】
【００６６】
10…移動通信システム
100…UE
101…SSAC情報取得部
103…RRC状態判定部
105…発信要求生成部
107…SSAC機能通知部
109…発信制御部
200…eNB
300…IP-CAN
310…ネットワーク装置
311…SSAC管理部
313…SSAC情報送信部
315…発信要求処理部
400…IMS
500…IPネットワーク
【図１】
2014033356.tif 000003
【図２】
2014033356.tif 000004
【図３】
2014033356.tif 000005
【図４】
2014033356.tif 000006
【図５】
2014033356.tif 000007
【図６】
2014033356.tif 000008
【図７】
2014033356.tif 000009